(57)【要約】【課題】ダクトの配置数量を少なくすることで施工の効率化を図ることができる。【解決手段】居室部１に調和空気を給気する空調機６Ａが配置されるとともに、廊下３の廊下床下部３２に連通する空調室６が設けられ、給気用シャフト４から取り入れた外気を廊下床下部３２を介して空調機６Ａに導入し、空調機６Ａを通過した調和空気を居室部１の居室天井裏部１１に配設される給気ダクト６３を介して居室部１内に吹き出す給気経路と、居室部１から居室天井裏部１１内に流入した空気を廊下天井裏部３１に通過させ、廊下天井裏部３１に設けられた排気ファンによって排気用シャフトから外部に排出する排気経路と、を有する構成の空調システムを提供する。【選択図】図２
2016200325.tif 000002
【特許請求の範囲】
【請求項１】
外気取入れ部および外気取出し部に隣接する廊下を挟んだ反対側に配置される居室部を備えた建物において、前記居室部に外気を取り入れて空調を行うための空調システムであって、
前記廊下および前記居室部は、それぞれ天井裏部と床下部とを有する二重床構造をなし、
前記居室部に調和空気を給気する空気調和機が配置されるとともに、前記廊下の廊下床下部に連通する空調室が設けられ、
前記外気取入れ部から取り入れた外気を前記廊下床下部を介して前記空気調和機に導入し、前記空気調和機を通過した調和空気を前記居室部の居室天井裏部に配設される給気ダクトを介して前記居室部内に吹き出す給気経路と、
前記居室部から居室天井裏部内に流入した空気を廊下天井裏部に通過させ、該廊下天井裏部に設けられた排気ファンによって前記外気取出し部から外部に排出する排気経路と、
を有することを特徴とする空調システム。
【請求項２】
前記建物は、前記廊下に面する複数の前記居室部が配設され、
前記各居室部のそれぞれに前記空気調和機が前記給気ダクトを介して接続されていることを特徴とする請求項１に記載の空調システム。
【請求項３】
前記廊下床下部は、前記外気取入れ部毎に対応する床下流路を形成していることを特徴とする請求項１又は２に記載の空調システム。
【請求項４】
前記廊下天井裏部は、前記外気取出し部毎に対応する天井裏流路を形成していることを特徴とする請求項１乃至３のいずれか１項に記載の空調システム。
【請求項５】
前記空気調和機は、前記廊下床下部に連通する空調室に設けられていることを特徴とする請求項１乃至４のいずれか１項に記載の空調システム。
【請求項６】
前記居室天井裏部と前記廊下天井裏部との間に区画壁が配置され、
該区画壁には、空気の排気流量を調整するための流通口が設けられていることを特徴とする請求項１乃至５のいずれか１項に記載の空調システム。
【発明の詳細な説明】
【技術分野】
【０００１】
本発明は、外気を取り入れることによる建物の空調システムに関する。
【背景技術】
【０００２】
従来、外気取入れ部および外気取出し部に隣接する廊下を挟んだ反対側に配置される居室部を備えたオフィスビル等の建物において、居室部に外気を取り入れて空調を行う際に、例えば特許文献１に示すようなダクトを用いているのが一般的である。例えば外気取入れ部から外気を廊下を介して空調機に取り入れる給気経路や、居室部の空気を廊下を介して外気取出し部に排気する排気経路において、廊下部分の流路として天井裏空間等にダクトを設置している。
特許文献１には、外気の給気口が形成された地下空間と、地下空間から建物の高さ方向に延設された送気ダクトと、天井裏空間に設けられ、送気ダクトに連通するとともに、居室空間への吹出口が形成された天井裏ダクトと、天井裏ダクト内の空気を吹出口から居室空間に送る送風装置と、を備えた構成の空調システムについて記載されている。
【先行技術文献】
【特許文献】
【０００３】
【特許文献１】特開２０１４−４７９４９号公報
【発明の概要】
【発明が解決しようとする課題】
【０００４】
しかしながら、従来の空調システムの場合には、建物内でダクトルート（経路）を変更する際に、廊下部分の天井や床材を取り外す等の工事が必要であり、作業の手間と時間がかかるうえ、その作業中に居室部の使用ができないといった問題があった。
【０００５】
本発明は、上述する問題点に鑑みてなされたもので、ダクトの配置数量を少なくすることで施工の効率化を図ることができる空調システムを提供することを目的とする。
【課題を解決するための手段】
【０００６】
上記目的を達成するため、本発明に係る空調システムは、外気取入れ部および外気取出し部に隣接する廊下を挟んだ反対側に配置される居室部を備えた建物において、前記居室部に外気を取り入れて空調を行うための空調システムであって、前記廊下および前記居室部は、それぞれ天井裏部と床下部とを有する二重床構造をなし、前記居室部に調和空気を給気する空気調和機が配置されるとともに、前記廊下の廊下床下部に連通する空調室が設けられ、前記外気取入れ部から取り入れた外気を前記廊下床下部を介して前記空気調和機に導入し、前記空気調和機を通過した調和空気を前記居室部の居室天井裏部に配設される給気ダクトを介して前記居室部内に吹き出す給気経路と、前記居室部から居室天井裏部内に流入した空気を廊下天井裏部に通過させ、該廊下天井裏部に設けられた排気ファンによって前記外気取出し部から外部に排出する排気経路と、を有することを特徴としている。
【０００７】
本発明では、居室部への給気経路において、外気取入れ部より外気を廊下床下部の床下流路を介して空気調和機内に取り込まれる。そして、空気調和機で調和された調和空気は給気ダクト介して居室部内に吹き出される。また、居室部の排気経路において、居室部内の空気は、居室部から居室天井裏部に流れ込む。そして、その居室天井裏部内の空気を廊下天井裏部の天井裏流路に流入させ、排気ファンを通じて外気に通じる外気取出し部から外部に排出させることができる。
【０００８】
このように、本発明の空調システムでは、給気経路で外気取入れ部と空気調和機との間の廊下床下部を床下流路として機能させることができ、この区間のダクトが不要となる。また、排気経路では、居室天井裏部と外気取出し部との間の廊下天井裏部を天井裏流路として機能させることができ、この区間のダクトが不要となる。そのため、ダクトの配置数量を少なくすることで施工の効率化を図ることができる。
しかも、前述の床下流路および天井裏流路にダクトが設けられないので、建物のダクト経路を変更する際に、廊下部分の天井や床材を取り外す等の作業を抑えることができる。
【０００９】
また、本発明に係る空調システムは、前記建物は、前記廊下に面する複数の前記居室部が配設され、前記各居室部のそれぞれに前記空気調和機が前記給気ダクトを介して接続されていることが好ましい。
【００１０】
この場合には、各居室部のそれぞれに対応する空気調和機が設けられているので、居室部毎に最適な調和空気を外気取入れ部から給気し、各居室部の空気を外気取出し部へ排気することができる。つまり、居室部毎にユニット化された空調システムを構築することができる。
【００１１】
また、本発明に係る空調システムは、前記廊下床下部は、前記外気取入れ部毎に対応する床下流路を形成していることが好ましい。
【００１２】
この場合には、特定の外気取入れ部から外気を床下流路を介して空気調和機に送り込むことができるので、隣り合う外気取入れ部から取り入れられる外気同士が混在することを防止することができ、効率良い流通経路を形成することができる。
【００１３】
また、本発明に係る空調システムは、前記廊下天井裏部は、前記外気取出し部毎に対応する天井裏流路を形成していることが好ましい。
【００１４】
この場合には、特定の外気取出し部から外気を排出することができるので、廊下天井裏部内において隣り合う外気取出し部（排気ファン）へ向けて流れる空気同士が混在することを防止することができ、効率良い流通経路を形成することができる。
【００１５】
また、本発明に係る空調システムは、前記空気調和機は、前記廊下床下部に連通する空調室に設けられていることが好ましい。
【００１６】
この場合には、外気取入れ部の外気を廊下床下部の床下流路を介して空調室に送り込み、その空調室内に導入されている外気を空気調和機に取り入れて給気ダクトを通じて調和空気を居室部に吹き出すことができる。
【００１７】
また、本発明に係る空調システムは、前記居室天井裏部と前記廊下天井裏部との間に区画壁が配置され、該区画壁には、空気の排気流量を調整するための流通口が設けられていることが好ましい。
【００１８】
この場合には、前記居室天井裏部と前記廊下天井裏部との間の区画壁に流通口を設けるだけの構成となることから、施工が簡単になり、施工効率を向上させることができる。しかも、例えば廊下天井裏部にダクトが設けられている従来の場合のように、ダクト経路の変更に伴って流通口の位置を移動させる必要がなくなる利点がある。
【発明の効果】
【００１９】
本発明の空調システムによれば、ダクトの配置数量を少なくすることで施工の効率化を図ることができる。
【図面の簡単な説明】
【００２０】
【図１】本発明の実施の形態による空調システムの構成を示す建物フロアの平面図である。
【図２】図１に示す空調システムの給気経路の側面図である。
【図３】廊下床下部の床下流路を示す平面図である。
【図４】図１に示す空調システムの排気経路の側面図である。
【発明を実施するための形態】
【００２１】
以下、本発明の実施の形態による空調システムについて、図面に基づいて説明する。
【００２２】
図１に示すように、本実施の形態による空調システムは、例えばオフィスビル等の中心部にコア部２を有する多層階からなる建物１０に採用されている。ここで、図１は、多層階のうちの１フロアの一例を示した平面図である。
フロアの配置は、コア部２を挟んだ両側に廊下３を介して居室部１が配置されている。建物１０は、平面視で略長方形状をなし、長辺方向Ｘ１（図１で紙面上下方向）に沿って複数（４部屋）の居室部１、１、…が設けられている。また、居室部１Ａ〜１Ｈは、短辺方向Ｘ２（図１で紙面左右方向）に対向し、かつコア部２を挟んだ対称位置に配置されている。
【００２３】
コア部２は、図１に示す斜線部分に附室、エレベータシャフト、エレベータホール等が配置されるとともに、外気流通シャフト（後述する給気用シャフト４及び排気用シャフト５）が設けられている。コア部２の外周部には、短辺方向Ｘ２の両側において長辺方向Ｘ１に延びる一対の廊下３が設けられている。そして、廊下３のコア部２と反対側に居室部１Ａ〜１Ｈが隣接している。
【００２４】
建物１０には、最下層から最上階（屋上）までを連通する外気に繋がる給気用シャフト４（外気取入れ部）と排気用シャフト５（外気取出し部）とが設けられている。コア部２に配置される給気用シャフト４および排気用シャフト５は、それぞれ廊下３に面している。給気用シャフト４は、シャフト内の外気を居室部１内に送り込むためのものであり、居室部１Ａ〜１Ｈ毎に１箇所設けられている。排気用シャフト５は、シャフト内に居室部1内の空気を送り出すものであって、１つ又は２つの居室部１で１箇所のシャフトが使用されている。
なお、図１〜図３において給気用シャフト４を「ＯＡ」と称し、図１および図４において排気用シャフト５を「ＥＡ」と称している。さらに、図１の矢印は、外気（空気）の流れを示している。
【００２５】
居室部１Ａ〜１Ｈの廊下３側には、それぞれ居室部１Ａ〜１Ｈ及び廊下３と隔離されるとともに空調機６Ａ（空気調和機）が配置される空調室６が設けられている。
図２に示すように、廊下３は、廊下天井裏部３１と、廊下床下部３２と、を有する二重床構造となっている。廊下天井裏部３１は、図４に示すように、後述する居室天井裏部１１に対して流通口７を介して接続し、排気ファン８を介して排気用シャフト５に接続されている。つまり、廊下天井裏部３１は、図４に示すように、排気用シャフト５と居室天井裏部１１とを連通する流路（天井裏流路Ｒ２）を形成している。
なお、廊下天井裏部３１は、長辺方向Ｘ１に沿う廊下３全体にわたって連通していても良いし、排気用シャフト５毎に区画されていても良い。
【００２６】
廊下床下部３２は、図３に示すように、給気用シャフト４と空調室６とを連通する流路（床下流路Ｒ１）を形成するように廊下３の長さ方向（長辺方向Ｘ１）に区画する仕切壁３３が設けられている。床下流路Ｒ１は、１つの居室部１に対応する吸気用シャフト４および空調室６のみに連通する流路である。
なお、廊下床下部３２は、例えば１５ｃｍほどの一定の高さを有する空間を形成するように設定されている。
【００２７】
空調室６は、図２に示すように、下側部分が床下流路Ｒ１に接続し、上側部分にダクト用連通穴６ａが形成され、そのダクト用連通穴６ａを介して居室部１の居室天井裏部１１に連通している。空調室６は、空調機６Ａが配置可能な適宜な大きさに設定され、上記の床下流路Ｒ１に連通する以外は密閉された空間となっている。
【００２８】
空調機６Ａは、一般的な空気調和機が採用され、外気を吸い込む吸入部６１が廊下床下部３２の近傍に配置され、機内を通過して所定温度に調和された調和空気を吹き出す吹出部６２が空調機上面に配置されている。吹出部６２には給気ダクト６３が接続されている。給気ダクト６３は、曲り部６３ａを有し、ダクト用連通穴６ａに挿通されて居室天井裏部１１内に配設されている。なお、図１〜図３において空調機６Ａを「ＡＨＵ」と称している。
【００２９】
居室部１Ａ〜１Ｈは、居室天井裏部１１と、居室床下部１２と、を有した二重床構造となっている。居室床下部１２は、例えば１５ｃｍほどの一定の高さを有する空間を形成するように設定されている。
居室部１の天井１ａには、適宜な間隔をあけて複数の吹出し口１３が配置されている。そして、前述した居室天井裏部１１内に配置される給気ダクト６３は、居室部１の天井１ａに設けられる複数の吹出し口１３の位置を通過するように配管され、各吹出し口１３に接続管６４を介して接続されている。
【００３０】
図４に示すように、居室天井裏部１１と廊下天井裏部３１とは、区画壁１４によって仕切られており、この区画壁１４には両天井裏部１１、３１を連通する前記流通口７が設けられている。
流通口７は、一端の吸込み口７１が居室天井裏部１１に配置され、他端の吹出し口７２が廊下天井裏部３１内に配置されている。流通口７には、居室天井裏部１１から廊下天井裏部３１内に向けて排出される空気の風量（排気流量）を調節するためのダンパー７３が配設されている。
【００３１】
廊下天井裏部３１に設けられる排気ファン８は、回転させることにより、廊下天井裏部３１内の空気を排気用シャフト５に排気する。
【００３２】
上述のように本実施の形態による空調システムでは、図２に示すように、居室部１への給気経路において、給気用シャフト４内の外気を廊下床下部３２の床下流路Ｒ１（図３参照）を介して空調室６内の空調機６Ａの吸入部６１より空調機６Ａ内に取り込まれる。そして、空調機６Ａで調和された調和空気は給気ダクト６３を通過して接続管６４を介して天井１ａの吹出し口１３から居室部１内に吹き出される。
【００３３】
次に、図４に示すように、居室部１の排気経路において、居室部１内の空気の一部は、居室部１の天井１ａに配置される吸込み口（図示省略）より居室天井裏部１１に流れ込む。そして、その居室天井裏部１１内の空気を流通口７を介して廊下天井裏部３１に流入させ、排気ファン８を通じて外気に通じる排気用シャフト５に排出される。
【００３４】
このように、本実施の形態の空調システムでは、給気経路で給気用シャフト４と空調機６Ａとの間の廊下床下部３２を床下流路Ｒ１として機能させることができ、この区間のダクトが不要となる。また、排気経路では、居室天井裏部１１と排気用シャフト５との間の廊下天井裏部３１を天井裏流路Ｒ２として機能させることができ、この区間のダクトが不要となる。そのため、ダクトの配置数量を少なくすることで施工の効率化を図ることができる。
しかも、前述の床下流路Ｒ１および天井裏流路Ｒ２にダクトが設けられないので、建物１０のダクト経路を変更する際に、廊下部分の天井や床材を取り外す等の作業を抑えることができる。
【００３５】
また、本実施の形態では、各居室部１Ａ〜１Ｈのそれぞれに対応する空調機６Ａが設けられているので、居室部１Ａ〜１Ｈ毎に最適な調和空気を給気用シャフト４から給気し、各居室部１Ａ〜１Ｈの空気を排気用シャフト５へ排気することができる。つまり、居室部１毎にユニット化された空調システムを構築することができる。
【００３６】
また、廊下床下部３２が給気用シャフト４毎に対応する床下流路Ｒ１を形成しており、特定の給気用シャフト４から外気を床下流路Ｒ１を介して空調機６Ａに送り込むことができるので、隣り合う給気用シャフト４から取り入れられる外気同士が混在することを防止することができ、効率良い流通経路を形成することができる。
【００３７】
また、本実施の形態では、廊下天井裏部３１が排気用シャフト５毎に対応する天井裏流路Ｒ２を形成しており、特定の排気用シャフト５から外気を排出することができるので、廊下天井裏部３１内において隣り合う排気用シャフト５（排気ファン８）へ向けて流れる空気同士が混在することを防止することができ、効率良い流通経路を形成することができる。
【００３８】
また、本実施の形態では、空調機６Ａが空調室６に設けられていることから、給気用シャフト４の外気を廊下床下部３２の床下流路Ｒ１を介して空調室６に送り込み、その空調室６内に導入されている外気を空調機６Ａに取り入れて給気ダクト６３を通じて調和空気を居室部１に吹き出すことができる。
【００３９】
また、本実施の形態では、居室天井裏部１１と廊下天井裏部３１との間の区画壁１４に流通口７を設けるだけの構成となることから、施工が簡単になり、施工効率を向上させることができる。しかも、例えば廊下天井裏部３１にダクトが設けられている従来の場合と異なり、各居室部１Ａ〜１Ｈの区画変更に伴い、流通口７の位置のみ移動させればよいという利点がある。
【００４０】
以上、本発明による空調システムの実施の形態について説明したが、本発明は上記の実施の形態に限定されるものではなく、その趣旨を逸脱しない範囲で適宜変更可能である。
【００４１】
例えば、本実施の形態では、空調機６Ａが空調室６に配置され、廊下床下部３２の床下流路Ｒ２を通過した外気が空調室６に入る構成としているが、これに限定されることはない。例えば、空調室６を省略して、床下流路Ｒ２から直接、空調機６Ａの吸入部６１へ取り込み、吹出部６２から給気ダクト６３で居室部１に送り込む構成であってもかまわない。
【００４２】
また、建物１０の配置、すなわち居室部１の数量、大きさ、コア部２の形状、各シャフト（給気用シャフト４および排気用シャフト５）の位置、空調機６Ａ（空調室６）の位置などの構成は、適宜変更することができる。
例えば、本実施の形態では、給気用シャフト４と排気用シャフト５と区別しているが、給気用シャフトを排気用シャフトとして使用してもよい。
【００４３】
さらに、本実施の形態では外気取入れ部として給気用シャフト４とし、外気取出し部として排気用シャフト５としているが、このようなシャフトであることに限定されることはない。要は、外気取入れ部および外気取出し部が外気に通じる部分であれば良いのである。
【００４４】
さらにまた、廊下床下部３２で床下流路Ｒ１を形成する仕切壁３３を設けない構成であってもよい。すなわち、廊下床下部３２が廊下３の延在方向（長辺方向Ｘ１）に沿って連通していてもよい。
【００４５】
また、流通口７、排気ファン８の構成についても、本実施の形態に制限されることはなく、他の構成のものを採用することができる。
【００４６】
その他、本発明の趣旨を逸脱しない範囲で、上記した実施の形態における構成要素を周知の構成要素に置き換えることは適宜可能である。
【符号の説明】
【００４７】
１、１Ａ〜１Ｈ  居室部
２  コア部
３  廊下
４  給気用シャフト（外気取入れ部）
５  排気用シャフト（外気取出し部）
６  空調室
６Ａ  空調機（空気調和機）
７  流通口
８  排気ファン
１０  建物
１１  居室天井裏部
１２  居室床下部
１３  吹出し口
１４  区画壁
３１  廊下天井裏部
３２  廊下床下部
３３  仕切壁
Ｒ１  床下流路
Ｒ２  天井裏流路
【図１】
2016200325.tif 000003
【図２】
2016200325.tif 000004
【図３】
2016200325.tif 000005
【図４】
2016200325.tif 000006